(57)【要約】      （修正有）【課題】パネルコントロールシステム及びその編集方法を提供する。【解決手段】処理装置２０は、グラフィカルユーザインターフェースプログラム２００を包括し、グラフィカルユーザインターフェースプログラムがインターフェースエレメントウインドウ２１０と、インターフェース編集ウインドウ２２０とを含む。各インターフェースエレメントは、エレメントコマンドウインドウ２３０ａとエレメントパラメータウインドウ２３０ｂとエレメント属性ウインドウ２４０とを含む。該エレメントコマンドウインドウが複数のオリジナルエレメントコマンドを包括し、該複数のオリジナルエレメントコマンドを該エレメントパラメータウインドウにドラッグして複数のエレメントパラメータコマンドを形成し、該エレメント属性ウインドウが複数のエレメント属性コマンドを包括する。【選択図】図１
2019149165.tif 000002
【特許請求の範囲】
【請求項１】
ディスプレイパネルと、
前記ディスプレイパネルと接続される処理装置と、を含むパネルコントロールシステムにおいて、
該処理装置はグラフィカルユーザインターフェースプログラムを包括し、
該グラフィカルユーザインターフェースプログラムは、
複数のインターフェースエレメントを包括するインターフェースエレメントウインドウと、
前記インターフェースエレメントウインドウと接続され、前記複数のインターフェースエレメントを編集するインターフェース編集ウインドウと、を含み、
各インターフェースエレメントは、エレメントコマンドウインドウとエレメントパラメータウインドウとエレメント属性ウインドウとを含み、前記エレメントコマンドウインドウが複数のオリジナルエレメントコマンドを包括し、前記複数のオリジナルエレメントコマンドを前記エレメントパラメータウインドウにドラッグして複数のエレメントパラメータコマンドを形成し、前記エレメント属性ウインドウが複数のエレメント属性コマンドを包括することを特徴とする、パネルコントロールシステム。
【請求項２】
前記グラフィカルユーザインターフェースプログラムは、外部インターフェースエレメントウインドウを更に含み、前記外部インターフェースエレメントウインドウが少なくとも１つの外部インターフェースエレメントをロードすることを特徴とする、請求項１に記載のパネルコントロールシステム。
【請求項３】
前記グラフィカルユーザインターフェースプログラムは、編集表示ウインドウを更に含み、前記編集表示ウインドウが少なくとも１つの縮小インターフェース編集ウインドウを表示することを特徴とする、請求項１に記載のパネルコントロールシステム。
【請求項４】
前記複数のオリジナルエレメントコマンド、前記複数のエレメントパラメータコマンド及び前記複数のエレメント属性コマンドは、少なくとも１つのプログラムコードのロジックに基づいて組み合わせられる組み合わせ図形であることを特徴とする、請求項１に記載のパネルコントロールシステム。
【請求項５】
前記グラフィカルユーザインターフェースプログラムは、前記エレメントパラメータウインドウの該複数のエレメントパラメータコマンドを検出するためのコマンド誤り検出モジュールを更に含むことを特徴とする、請求項１に記載のパネルコントロールシステム。
【請求項６】
前記グラフィカルユーザインターフェースプログラムは、データ構造を更に含み、前記データ構造が前記複数のオリジナルエレメントコマンド、前記複数のエレメントパラメータコマンド及び前記複数のエレメント属性コマンドを保存することを特徴とする、請求項１に記載のパネルコントロールシステム。
【請求項７】
前記ディスプレイパネルは、通信ユニットと図形処理ユニットとメモリユニットと表示ユニットと電源制御ユニットと、を更に含むことを特徴とする、請求項１に記載のパネルコントロールシステム。
【請求項８】
前記ディスプレイパネルは、タッチパネルであることを特徴とする、請求項７に記載のパネルコントロールシステム。
【請求項９】
前記表示ユニットは、薄膜トランジスタ液晶ディスプレイ（Ｔｈｉｎ  ｆｉｌｍ  ｔｒａｎｓｉｓｔｏｒ  ｌｉｑｕｉｄ  ｃｒｙｓｔａｌ  ｄｉｓｐｌａｙ、ＴＦＴ−ＬＣＤ）或いは有機ＥＬ（Ｏｒｇａｎｉｃ  Ｌｉｇｈｔ−Ｅｍｉｔｔｉｎｇ  Ｄｉｏｄｅｓ）ディスプレイであることを特徴とする、請求項７に記載のパネルコントロールシステム。
【請求項１０】
請求項１に記載のパネルコントロールシステムに用いられる編集方法であって、
前記処理装置を起動せると共に前記グラフィカルユーザインターフェースプログラムを実行させるステップと、
前記インターフェースエレメントウインドウから少なくとも１つのインターフェースエレメントを前記インターフェース編集ウインドウ内にドラッグするステップと、
前記インターフェース編集ウインドウ内の前記少なくとも１つのインターフェースエレメントをクリックし、また前記エレメントコマンドウインドウにおいて前記複数のオリジナルエレメントコマンドを前記エレメントパラメータウインドウにドラッグして複数のエレメントパラメータコマンドを形成させるステップと、
前記インターフェース編集ウインドウ内の少なくとも１つのインターフェースエレメントをクリックし、また前記エレメント属性ウインドウにおいて前記少なくとも１つのインターフェースエレメントの前記複数のエレメント属性コマンドを編集するステップと、
前記インターフェース編集ウインドウのウインドウ画面を前記ディスプレイパネルに表示させるステップと、
を含むことを特徴とする、編集方法。
【発明の詳細な説明】
【技術分野】
【０００１】
本発明は、パネルコントロールシステム及びその編集方法に関し、特に、グラフィカルユーザインターフェースを通じた編集方法のパネルコントロールシステムに関する。
【背景技術】
【０００２】
プログラムの設計過程において、グラフィカルユーザインターフェース（Ｇｒａｐｈｉｃａｌ  ｕｓｅｒ  ｉｎｔｅｒｆａｃｅ、ＧＵＩ）は、通常ＯＳから提供されているアプリケーションプログラムインタフェース（Ａｐｐｌｉｃａｔｉｏｎ  Ｐｒｏｇｒａｍ  Ｉｎｔｅｒｆａｃｅ、ＡＰＩ）の呼び出しを利用して実現し、かつ通常各種プログラム言語の補助文字を結合する必要がある。現在ＧＵＩを結合するプログラムは殆どＧＵＩの属性、複数のプログラム言語をプログラム自体と結合し、プログラムの実行効率に影響を及ぼすだけでなく、プログラム自体の可読性を下げ、かつメンテナンスも難しくさせていた。
【０００３】
例えば、プログラムコンパイルを終えた後、いかなるＧＵＩ又は複数のプログラム言語の補助文字の修正は、いずれもプログラム自体を改めてコンパイルする必要があるため、非常に不便である。また異なるＯＳから提供されているＡＰＩは各々異なり、１つのＯＳに適したＧＵＩプログラムコードが別のＯＳに必ずしも適していない。更に、グラフィカルユーザインターフェースのプログラミングは、通常複数のアプリケーションプログラムを開く必要があり、かつ複数のプログラム言語の構文が異なり、多くの文字コマンドを記憶しなければならず、ユーザーに構文のロジック上の間違いを生じさせる可能性があった。
【０００４】
これにより、パネルコントロールシステムのグラフィカルユーザインターフェース編集方法を開発することで、コマンドの構文の複雑さを簡略化させることは、実際必要であった。
【発明の概要】
【発明が解決しようとする課題】
【０００５】
これに鑑み、本発明は、グラフィカルユーザインターフェースを通じた編集方法のパネルコントロールシステムを提供することを目的とする。
【課題を解決するための手段】
【０００６】
上記目的を達成するため、本発明は、ディスプレイパネルと、該ディスプレイパネルと接続される処理装置とを含むパネルコントロールシステムを提供し、該処理装置はグラフィカルユーザインターフェースプログラムを包括し、該グラフィカルユーザインターフェースプログラムが複数のインターフェースエレメントを包括するインターフェースエレメントウインドウと、該インターフェースエレメントウインドウと接続され、該複数のインターフェースエレメントを編集するインターフェース編集ウインドウとを含み、各インターフェースエレメントは、エレメントコマンドウインドウとエレメントパラメータウインドウとエレメント属性ウインドウとを含み、該エレメントコマンドウインドウが複数のオリジナルエレメントコマンドを包括し、該複数のオリジナルエレメントコマンドを該エレメントパラメータウインドウにドラッグして複数のエレメントパラメータコマンドを形成し、該エレメント属性ウインドウが複数のエレメント属性コマンドを包括する。
【０００７】
本発明は、該処理装置を起動せると共に該グラフィカルユーザインターフェースプログラムを実行させるステップと、該インターフェースエレメントウインドウから少なくとも１つのインターフェースエレメントを該インターフェース編集ウインドウ内にドラッグするステップと、該インターフェース編集ウインドウ内の該少なくとも１つのインターフェースエレメントをクリックし、また該エレメントコマンドウインドウにおいて該複数のオリジナルエレメントコマンドを該エレメントパラメータウインドウにドラッグして複数のエレメントパラメータコマンドを形成させるステップと、該インターフェース編集ウインドウ内の少なくとも１つのインターフェースエレメントをクリックし、また該エレメント属性ウインドウにおいて該少なくとも１つのインターフェースエレメントの該複数のエレメント属性コマンドを編集するステップと、該インターフェース編集ウインドウのウインドウ画面を該ディスプレイパネルに表示させるステップと、を含むパネルコントロールシステムの編集方法を更に提出する。
【０００８】
以上の本発明に対する略述は、本発明の幾つかの態様及び技術的特徴について基本説明を行うことを目的とする。発明の略述は、本発明に対する詳述ではないため、その目的が本発明の重大な又は重要な構成要素を特別挙げることではなく、本発明の範囲を限定するために用いることではなく、簡明方式で本発明の幾つかの概念を表現するだけである。
【図面の簡単な説明】
【０００９】
【図１】本発明の好ましい実施例に係るパネルコントロールシステムを示す模式図である。
【図２】本発明の好ましい実施例に係るグラフィカルユーザインターフェースプログラムを示す模式図である。
【図３】本発明の好ましい実施例に係るディスプレイパネルを示す模式図である。
【図４】本発明の好ましい実施例に係るディスプレイパネルで実際に図形画面を表示した場合の模式図である。
【図５】本発明の好ましい実施例に係るパネルコントロールシステムの編集方法のフローチャートである。
【発明を実施するための形態】
【００１０】
本発明の技術的特徴及び実用効果を理解させると共に明細書の内容に基づいて実施できるため、更に図面に示す好ましい実施例で、以下に詳細に説明する。
【００１１】
本発明は、パネルコントロールシステム及びその編集方法であり、単一のウインドウを通じて全ての開発プログラムを結合し、またグラフィックス編集インターフェースを組み合わせて使用することで、異なるプログラミング操作の不便さを改善する。
【００１２】
図１を参照すると、本発明の好ましい実施例に係るパネルコントロールシステムを示す模式図である。パネルコントロールシステム１は、ディスプレイパネル１０と、該ディスプレイパネル１０と接続される処理装置２０とを含み、前記処理装置はグラフィカルユーザインターフェース（Ｇｒａｐｈｉｃａｌ  ｕｓｅｒ  ｉｎｔｅｒｆａｃｅ、ＧＵＩ）プログラム２００を包括し、該グラフィカルユーザインターフェースプログラム２００が複数のインターフェースエレメント２１２（図２を参照する）を包括するインターフェースエレメントウインドウ２１０と、該インターフェースエレメントウインドウ２１０と接続され、該複数のインターフェースエレメント２１２を編集するインターフェース編集ウインドウ２２０とを含み、各インターフェースエレメント２１２は、エレメントコマンドウインドウ２３０ａとエレメントパラメータウインドウ２３０ｂとエレメント属性ウインドウ２４０とを含み、該エレメントコマンドウインドウ２３０ａが複数のオリジナルエレメントコマンド２３２ａ（図２を参照する）を包括し、該複数のオリジナルエレメントコマンド２３２ａを該エレメントパラメータウインドウ２３０ｂにドラッグして複数のエレメントパラメータコマンド２３２ｂ（図２を参照する）を形成し、該エレメント属性ウインドウ２４０が複数のエレメント属性コマンド２４２を包括する。
【００１３】
前記グラフィカルユーザインターフェースプログラム２００は、外部インターフェースエレメントウインドウ２５０と編集表示ウインドウ２６０とを更に含み、該外部インターフェースエレメントウインドウ２５０が少なくとも１つの外部インターフェースエレメント２５２（図２を参照する）をロードするために用いられ、該編集表示ウインドウ２６０が少なくとも１つの縮小インターフェース編集ウインドウ２２２（図２を参照する）を表示するために用いられる。
【００１４】
上記ディスプレイパネル１０は、薄膜トランジスタ液晶ディスプレイ（Ｔｈｉｎ  ｆｉｌｍ  ｔｒａｎｓｉｓｔｏｒ  ｌｉｑｕｉｄ  ｃｒｙｓｔａｌ  ｄｉｓｐｌａｙ、ＴＦＴ−ＬＣＤ）或いは有機ＥＬ（Ｏｒｇａｎｉｃ  Ｌｉｇｈｔ−Ｅｍｉｔｔｉｎｇ  Ｄｉｏｄｅｓ）ディスプレイとすることができ、かつコントロールパネル及び抵抗膜／静電容量方式タッチパネル（ｔｏｕｃｈ  ｐａｎｅｌ）を組み合わせることができる。ディスプレイパネル１０の寸法は、通常２〜１５インチとし、主に産業機器設備、医療機器又はＧＰＳナビゲーション、コーヒーメーカー、洗濯機等の白物家電、エネルギーシステム、充電スタンド、ＰＯＳ（Ｐｏｉｎｔ  ｏｆ  Ｓａｌｅｓ）システム、自動販売機或いは駐車場の料金精算機等が挙げられる産業グレード製品に応用される。
【００１５】
上記処理装置２０は、モバイルデバイス、デスクトップパソコン／ノートパソコン、携帯情報端末（Ｐｅｒｓｏｎａｌ  Ｄｉｇｉｔａｌ  Ａｓｓｉｓｔａｎｔ、ＰＤＡ）又はビデオゲームコンソール（ｖｉｄｅｏ  ｇａｍｅ  ｃｏｎｓｏｌｅ）とすることができ、他の組込みコンピュータとすることもできる。
【００１６】
同時に図２を参照すると、本発明の好ましい実施例に係るグラフィカルユーザインターフェースプログラムを示す模式図である。本実施例において、該グラフィカルユーザインターフェースプログラム２００は、インターフェースエレメントウインドウ２１０とインターフェース編集ウインドウ２２０とエレメントコマンドウインドウ２３０ａとエレメントパラメータウインドウ２３０ｂとエレメント属性ウインドウ２４０と外部インターフェースエレメントウインドウ２５０と編集表示ウインドウ２６０と、を含み、かつ上記の全てのウインドウはいずれも単一のグラフィカルユーザインターフェース内に表示されることで、該グラフィカルユーザインターフェースプログラム２００で開発する利便性を向上させる。
【００１７】
前記インターフェースエレメントウインドウ２１０は、複数のインターフェースエレメント２１２を含み、該複数のインターフェースエレメント２１２がデフォルトの数字（例えば０、１０、２０、３０等）、デフォルトの文字（例えば時速、血圧、脈搏等）又はデフォルトの画像（例えば自動車の時速表、脈搏折れ線グラフ、スイッチ画像、時計画像等）とすることができ、ユーザーは自分のニーズに応じて必要な少なくとも１つのインターフェースエレメント２１２をインターフェース編集ウインドウ２２０にドラッグしてインターフェースエレメント２１２の編集を行うことができる。
【００１８】
ユーザーが外部の文字、数字又は画像等を使用したい場合、該外部インターフェースエレメントウインドウ２５０を通じて少なくとも１つの外部インターフェースエレメント２５２をロードすると共に同じ方法により少なくとも１つの外部インターフェースエレメント２５２をインターフェース編集ウインドウ２２０にドラッグして外部インターフェースエレメント２５２の編集を行うことができる。
【００１９】
インターフェース編集ウインドウ２２０内において、ユーザーは、自分のニーズや好みに応じて、少なくとも１つの外部インターフェースエレメント２５２又は少なくとも１つのインターフェースエレメント２１２をインターフェース編集ウインドウ２２０内の任意位置にドラッグすると共に該インターフェース編集ウインドウ２２０内の該少なくとも１つのインターフェースエレメント２１２をクリックすると、エレメントコマンドウインドウ２３０ａ内において該少なくとも１つのインターフェースエレメント２１２の該複数のオリジナルエレメントコマンド２３２ａを編集や設定できる。該複数のオリジナルエレメントコマンド２３２ａの編集方法は、該複数のオリジナルエレメントコマンド２３２ａを該エレメントパラメータウインドウ２３０ｂにドラッグすることで、複数のエレメントパラメータコマンド２３２ｂを形成する。該インターフェース編集ウインドウ２２０内の該少なくとも１つのインターフェースエレメント２１２をクリックすると共にエレメント属性ウインドウ２４０内において該少なくとも１つのインターフェースエレメント２１２の該複数のエレメント属性コマンド２４２を編集や設定することもできる。
【００２０】
同様に、該インターフェース編集ウインドウ２２０内の該少なくとも１つの外部インターフェースエレメント２５２をクリックすると、エレメントコマンドウインドウ２３０ａ内において該少なくとも１つの外部インターフェースエレメント２５２の該複数の外部オリジナルエレメントコマンド２３２ａ’を編集や設定できる。該複数の外部オリジナルエレメントコマンド２３２ａ’の編集方法は、該複数の外部オリジナルエレメントコマンド２３２ａ’を該エレメントパラメータウインドウ２３０ｂにドラッグすることで、複数の外部エレメントパラメータコマンド２３２ｂ’を形成する。該インターフェース編集ウインドウ２２０内の該少なくとも１つの外部インターフェースエレメント２５２をクリックすると共にエレメント属性ウインドウ２４０内において該少なくとも１つの外部インターフェースエレメント２５２の該複数の外部エレメント属性コマンド２４２’を編集や設定することもできる。
【００２１】
本実施例において、エレメント属性ウインドウ２４０内で編集された複数のエレメント属性コマンド２４２は、クリックした該少なくとも１つのインターフェースエレメント２１２のサイズ、該少なくとも１つのインターフェースエレメント２１２のカラー、該少なくとも１つのインターフェースエレメント２１２のフォント等を包括し、かつ上記のサイズ、カラー、フォントの編集方法がいずれもチェックマーク或いはプルダウンメニューで選択し、すなわち、人為的なミスを防止するため、エレメント属性ウインドウ２４０の全てのパラメータプログラミングが文字を１個ずつ入力する必要がない。同様に、エレメント属性ウインドウ２４０内で編集された複数の外部エレメント属性コマンド２４２’は、クリックした該少なくとも１つの外部インターフェースエレメント２５２のサイズ、該少なくとも１つの外部インターフェースエレメント２５２のカラー、該少なくとも１つの外部インターフェースエレメント２５２のフォント等を包括し、かつ上記のサイズ、カラー、フォントの編集方法がいずれもチェックマーク或いはプルダウンメニューで選択する。
【００２２】
本実施例において、エレメントコマンドウインドウ２３０ａ内で編集された複数のオリジナルエレメントコマンド２３２ａは、クリックした該少なくとも１つのインターフェースエレメント２１２のオリジナルエレメントコマンド２３２ａ（従来のプログラムコード）であり、該複数のオリジナルエレメントコマンド２３２ａの編集方法が該複数のオリジナルエレメントコマンド２３２ａを該エレメントパラメータウインドウ２３０ｂにドラッグすることで、複数のエレメントパラメータコマンド２３２ｂを形成する。ここで留意すべき点は、該複数のオリジナルエレメントコマンド２３２ａ、該複数のエレメントパラメータコマンド２３２ｂ及び該複数のエレメント属性コマンド２４２は、少なくとも１つのプログラムコードのロジックに基づいて組み合わせられる組み合わせ図形であり、かつ組み合わせ図形は異なるカラーで区分でき、すなわち、異なる関数とパラメータが対応する組み合わせ図形の形状及びカラーも異なり、エレメントパラメータコマンド２３２ｂの相互関連付け関係が合理的な組み合わせ図形内に対応することで、インターフェース編集ウインドウ２２０のウインドウ画面をディスプレイパネル１０にスムーズに伝送させることができる。
【００２３】
同様に、エレメントコマンドウインドウ２３０ａ内で編集された複数の外部オリジナルエレメントコマンド２３２ａ’は、クリックした該少なくとも１つの外部インターフェースエレメント２５２の外部オリジナルエレメントコマンド２３２ａ’（すなわち、従来のプログラムコード）であり、該複数の外部オリジナルエレメントコマンド２３２ａ’の編集方法が該複数の外部オリジナルエレメントコマンド２３２ａ’を該エレメントパラメータウインドウ２３０ｂにドラッグすることで、複数の外部エレメントパラメータコマンド２３２ｂ’を形成する。ここで留意すべき点は、該複数の外部オリジナルエレメントコマンド２３２ａ’、該複数の外部エレメントパラメータコマンド２３２ｂ’及び該複数の外部エレメント属性コマンド２４２’は、少なくとも１つのプログラムコードのロジックに基づいて形成された組み合わせ図形であり、かつ組み合わせ図形は異なるカラーで区分でき、すなわち、異なる関数とパラメータが対応する組み合わせ図形の形状及びカラーも異なり、外部エレメントパラメータコマンド２３２ｂ’の相互関連付け関係が合理的な組み合わせ図形内に対応することで、インターフェース編集ウインドウ２２０のウインドウ画面をディスプレイパネル１０にスムーズに伝送させることができ、かつ組み合わせ図形のカラー及び形状を通じてユーザーが煩雑な文字コマンドを記憶する必要がないことで、間違いの発生を防止できる。
【００２４】
前記グラフィカルユーザインターフェースプログラム２００は、コマンド誤り検出モジュール（図示せず）を更に含み、該コマンド誤り検出モジュールが該エレメントパラメータウインドウ２３０ｂの該複数のエレメントパラメータコマンド２３２ｂ又は該複数の外部エレメントパラメータコマンド２３２ｂ’のロジック構文に誤り（すなわち、該複数のエレメントパラメータコマンド２３２ｂ或いは該複数の外部エレメントパラメータコマンド２３２ｂ’の組み合わせ図形の形状が対応できない）の有無を検出し、同時に自動的に組み合わせ図形形状に適したエレメントパラメータコマンド２３２ｂ或いは外部エレメントパラメータコマンド２３２ｂ’を表示してユーザーの参考のため供するために用いられる。
【００２５】
編集表示ウインドウ２６０内において、現在使用中の全ての縮小インターフェース編集ウインドウ２２２を表示することができ、ユーザーが１つ以上のインターフェース編集ウインドウ２２０を開いて画面の編集を行った時、編集表示ウインドウ２６０は、全ての縮小インターフェース編集ウインドウ２２２を表示できるため、ユーザーが自由にインターフェース編集ウインドウ２２０を切り替えて編集するのに便利になる。
【００２６】
本実施例において、該グラフィカルユーザインターフェースプログラム２００は、データ構造（図示せず）を更に含み、該データ構造がグラフィカルユーザインターフェースプログラム２００にビルトインされる該複数のオリジナルエレメントコマンド２３２ａ、複数のエレメントパラメータコマンド２３２ｂ及び該複数のエレメント属性コマンド２４２を保存するために用いられ、外部からロードされた該複数の外部オリジナルエレメントコマンド２３２ａ’、複数の外部エレメントパラメータコマンド２３２ｂ’及び該複数の外部エレメント属性コマンド２４２’も保存することができ、今後類似のコマンド又はパラメータを使用する必要がある時、データ構造内から関連のコマンド又はパラメータを呼び出すことができる。前記データ構造は、ツリー構造であり、該ツリー構造をフォルダ或いはデータベース等とすることができる。
【００２７】
図３を同時に参照すると、本発明の好ましい実施例に係るディスプレイパネルを示す模式図である。ディスプレイパネル１０は、通信ユニット１１０と図形処理ユニット１２０とメモリユニット１３０と表示ユニット１４０と電源制御ユニット１５０と、を更に含む。
【００２８】
該通信ユニット１１０は、該グラフィカルユーザインターフェースプログラム２００と接続され、グラフィカルユーザインターフェースプログラム２００から伝送されたデータファイルを受信するために用いられ、該データファイルがインターフェース編集ウインドウ２２０内の各インターフェースエレメント２１２のオリジナルエレメントコマンド２３２ａとエレメントパラメータコマンド２３２ｂとエレメント属性コマンド２４２とを含み、インターフェース編集ウインドウ２２０内の各外部インターフェースエレメント２５２の外部オリジナルエレメントコマンド２３２ａ’と外部エレメントパラメータコマンド２３２ｂ’と外部エレメント属性コマンド２４２’とも含む。更に該通信ユニット１１０は、その他の外部装置３０と接続でき、その接続方法が有線接続或いは遠隔無線接続に限られるものでなく、その目的はユーザーがリモート方式で該ディスプレイパネル１０を監視することができることにある。
【００２９】
該図形処理ユニット１２０は、該通信ユニット１１０と接続され、該データファイルを受信して処理すると共に上記各インターフェースエレメント２１２のエレメントパラメータコマンド２３２ｂ及びエレメント属性コマンド２４２を各外部インターフェースエレメント２５２の外部エレメントパラメータコマンド２３２ｂ’及び外部エレメント属性コマンド２４２’と図形画面に変換した後で該表示ユニット１４０に伝送するために用いられる。同時に図４を参照すると、本発明の好ましい実施例に係るディスプレイパネルで実際に図形画面を表示した場合の模式図である。該表示ユニット１４０は該図形画面を受信すると共に表示し、前記図形画面が該グラフィカルユーザインターフェースプログラム２００内のインターフェース編集ウインドウ２２０のウインドウ画面と一致し、またインターフェース編集ウインドウ２２０画面内の各インターフェースエレメント２１２と外部インターフェースエレメント２５２とを含む。前記表示ユニット１４０は、薄膜トランジスタ液晶ディスプレイ（Ｔｈｉｎ  ｆｉｌｍ  ｔｒａｎｓｉｓｔｏｒ  ｌｉｑｕｉｄ  ｃｒｙｓｔａｌ  ｄｉｓｐｌａｙ、ＴＦＴ−ＬＣＤ）或いは有機ＥＬ（Ｏｒｇａｎｉｃ  Ｌｉｇｈｔ−Ｅｍｉｔｔｉｎｇ  Ｄｉｏｄｅｓ）ディスプレイである。
【００３０】
該メモリユニット１３０は、該図形処理ユニット１２０と接続され、該データファイル及び該図形画面を保存するために用いられ、今後同じデータファイルを受信すると、メモリユニット１３０によりリアルタイムで対応の図形画面に変換することができ、該図形処理ユニットを通じて再処理を行う必要がないことで、処理時間を節約できる。該電源制御ユニット１５０は、該表示ユニット１４０と接続され、該ディスプレイパネル１０の電源をオン或いはオフにするために用いられる。
【００３１】
図５を参照すると、本発明の好ましい実施例に係るパネルコントロールシステムの編集方法のフローチャートである。パネルコントロールシステムの方法は、該処理装置を起動させると共に該グラフィカルユーザインターフェースプログラム２００を実行するステップＳ０１と、インターフェースエレメントウインドウ２１０から少なくとも１つのインターフェースエレメント２１２を該インターフェース編集ウインドウ２２０内にドラッグするステップＳ０２と、該インターフェース編集ウインドウ２２０内の該少なくとも１つのインターフェースエレメント２１２をクリックして該エレメントコマンドウインドウ２３０ａにおいて該複数のオリジナルエレメントコマンド２３２ａを該エレメントパラメータウインドウ２３０ｂにドラッグすることで複数のエレメントパラメータコマンド２３２ｂを形成させるステップＳ０３と、該インターフェース編集ウインドウ２２０内の該少なくとも１つのインターフェースエレメント２１２をクリックして該エレメント属性ウインドウ２４０において該少なくとも１つのインターフェースエレメント２１２の該複数のエレメント属性コマンド２４２を編集するステップＳ０４と、該インターフェース編集ウインドウ２２０のウインドウ画面を該ディスプレイパネル１０に表示するステップＳ０５と、を含む。
【００３２】
ステップＳ０２乃至Ｓ０４において、ユーザーは、外部インターフェースエレメントウインドウ２５０からロードされた少なくとも１つの外部インターフェースエレメント２５２を該インターフェース編集ウインドウ２２０内にドラッグし、該インターフェース編集ウインドウ２２０内の該少なくとも１つの外部インターフェースエレメント２５２をクリックして該エレメントコマンドウインドウ２３０ａにおいて該複数の外部オリジナルエレメントコマンド２３２ａ’を該エレメントパラメータウインドウ２３０ｂにドラッグすることで複数の外部エレメントパラメータコマンド２３２ｂ’を形成する。同時に、該インターフェース編集ウインドウ２２０内の該少なくとも１つの外部インターフェースエレメント２５２をクリックして、該エレメント属性ウインドウ２４０において該少なくとも１つの外部インターフェースエレメント２５２の該複数の外部エレメント属性コマンド２４２’を編集する。
【００３３】
上記パネルコントロールシステムのグラフィカルユーザインターフェース（インターフェースエレメントウインドウに含まれる複数のインターフェースエレメント、外部インターフェースエレメントウインドウからロードされた外部インターフェースエレメント、エレメントコマンドウインドウの複数のエレメントコマンド及び複数のエレメントパラメータを包括する）は、いずれも画像方式で呈し、特に、複数のエレメントコマンド及び複数のエレメントパラメータが組み合わせ図形の形状及びカラーで構文つなぎのロジックを示し、ユーザーは文字コマンドを覚える必要とせず、誤りの発生を防止できると共に構文検査の複雑さも簡略化できる。
【００３４】
以上の述べにつき、ただ好ましい実施例を挙げて種々説明したが、限定されるものではなく、本発明の特許請求の範囲及び説明内容を逸脱しない範囲内において種々の改良変更をなし得ることは、本発明の保護範囲内に含めるものであるのが勿論である。
【符号の説明】
【００３５】
１   パネルコントロールシステム
１０      ディスプレイパネル
１１０  通信ユニット
１２０  図形処理ユニット
１３０  メモリユニット
１４０  表示ユニット
１５０  電源制御ユニット
２０      処理装置
２００  グラフィカルユーザインターフェースプログラム
２１０  インターフェースエレメントウインドウ
２１２  インターフェースエレメント
２２０  インターフェース編集ウインドウ
２２２  縮小インターフェース編集ウインドウ
２３０ａ  エレメントコマンドウインドウ
２３２ａ  オリジナルエレメントコマンド
２３２ａ’ 外部オリジナルエレメントコマンド
２３０ｂ  エレメントパラメータウインドウ
２３２ｂ  エレメントパラメータコマンド
２３２ｂ’ 外部エレメントパラメータコマンド
２４０  エレメント属性ウインドウ
２４２  エレメント属性コマンド
２４２’  外部エレメント属性コマンド
２５０  外部インターフェースエレメントウインドウ
２５２  外部インターフェースエレメント
２６０  編集表示ウインドウ
３０      外部装置
【図１】
2019149165.tif 000003
【図２】
2019149165.tif 000004
【図３】
2019149165.tif 000005
【図４】
2019149165.tif 000006
【図５】
2019149165.tif 000007